(57)【特許請求の範囲】
【請求項１】
空気調和を行うための機器を備える１又は複数のユニットにおいてそれぞれ前記機器制御のための処理を行うユニット制御手段及び前記機器に関する運転情報のデータを記憶するユニット記憶手段を有するユニット制御基板と、前記ユニットを管理する集中管理装置との間でデータ通信が可能な空気調和装置であって、
前記集中管理装置は、
前記ユニット制御手段から定期的に送られる前記運転情報のデータを記憶する集中管理記憶手段と、
前記ユニット制御基板が交換されたものと判断すると、前記集中管理記憶手段に記憶された前記運転情報のデータから、対応する前記ユニットの前記運転情報のデータを、前記対応するユニットの前記ユニット制御基板に送る復元処理を行い、前記ユニット制御基板と前記ユニットが有する圧縮機とが共に交換されたものと判断すると、前記圧縮機に係る運転情報のデータについては初期値のデータを送り、前記圧縮機以外の機器に係る運転情報のデータについては前記集中管理記憶手段が記憶しているデータを、前記対応するユニットの前記ユニット制御基板に送る復元処理を行う集中管理制御手段と
を備えることを特徴とする空気調和装置。
【請求項２】
前記圧縮機は、バーコード、ＱＲコード（株式会社デンソーウェーブの登録商標）で表される又はＩＣチップが有するＩＤ情報のデータを有し、
前記ユニット制御基板は、前記バーコード、前記ＱＲコード又は前記ＩＣチップから前記ＩＤ情報のデータを認識するための認識手段をさらに有することを特徴とする請求項１に記載の空気調和装置。
【請求項３】
外部の記憶装置と接続して前記運転情報のデータを記憶させておくための接続手段をさらに有することを特徴とする請求項１又は２に記載の空気調和装置。
【請求項４】
前記ユニットにおいて部品交換が行われたことを表示するための表示手段をさらに有することを特徴とする請求項１〜３のいずれかに記載の空気調和装置。
【請求項５】
前記ユニットに指示を送るリモートコントローラをさらに備え、
該リモートコントローラは、前記集中管理装置の代わりに、または前記集中管理装置と共に、前記運転情報のデータの記憶及び前記復元処理を行うことを特徴とする請求項１〜４のいずれかに記載の空気調和装置。
【発明の詳細な説明】
【技術分野】
【０００１】
この発明は空気調和装置に関するものである。特にユニット等が制御基板に記憶している運転に係る情報の復元に関するものである。
【背景技術】
【０００２】
従来から、空気調和装置においては室外ユニット、室内ユニット等のユニットを配管接続して構成することが多い。このような空気調和装置では、室外ユニット、室内ユニットにおいて、各ユニットが備える空調関係の機器を駆動動作させる制御等を行う制御基板を交換することがある。このような交換が行われた場合、制御基板内の記憶装置が記憶してた運転に関するデータを引き継ぐことができない。このため、リモートコントローラ（リモコン）等から参照することができる圧縮機の運転積算時間、発停回数等についても初期値となってしまう。
【０００３】
また、例えば制御基板交換前に外部のコンピュータ等により制御基板の不揮発性メモリにある運転情報のデータを取り出し、制御基板交換後に、コンピュータ等から交換後の制御基板に交換前の運転情報のデータを上書きして書き換える手段もある（例えば、特許文献１参照）。
【先行技術文献】
【特許文献】
【０００４】
【特許文献１】特開２００７−２７１１７６号公報
【発明の概要】
【発明が解決しようとする課題】
【０００５】
上記のような従来の空気調和装置では、ユニットの制御基板が交換されたような場合に、交換前の制御基板に記憶された運転情報のデータを自動的に復元して引き継ぐことができず、圧縮機運転積算時間等の運転情報が初期値となる可能性がある。そのため、制御基板の交換を行うことにより、正確な運転情報が把握できなくなり、圧縮機等の部品の交換時期を正確に把握できなくなる等の問題があった。
【０００６】
この発明は、上記のような課題を解決するためになされたもので、室外ユニットまたは室内ユニットの制御基板が交換された場合に、交換前の運転情報を交換後の制御基板に自動的に復元することができる等の空気調和装置を得るものである。
【課題を解決するための手段】
【０００７】
この発明に係る空気調和装置は、空気調和を行うための機器を備える１又は複数のユニットにおいてそれぞれ機器制御のための処理を行うユニット制御手段及び機器に関する運転情報のデータを記憶するユニット記憶手段を有するユニット制御基板と、ユニットを管理する集中管理装置との間でデータ通信が可能な空気調和装置であって、集中管理装置は、ユニット制御手段から定期的に送られる運転情報のデータを記憶する集中管理記憶手段と、ユニット制御基板が交換されたものと判断すると、集中管理記憶手段に記憶された運転情報のデータから、対応するユニットの運転情報のデータを、対応するユニットのユニット制御基板に送る復元処理を行い、ユニット制御基板とユニットが有する圧縮機とが共に交換されたものと判断すると、圧縮機に係る運転情報のデータについては初期値のデータを送り、圧縮機以外の機器に係る運転情報のデータについては集中管理記憶手段が記憶しているデータを、対応するユニットのユニット制御基板に送る復元処理を行う集中管理制御手段を備えるものである。
【発明の効果】
【０００８】
この発明は、室外ユニット、室内ユニットのようなユニットにおいて、ユニット制御基板が交換されたものと判断すると、集中管理装置の集中管理制御手段が、集中管理記憶手段に記憶された交換前の運転情報のデータを、交換後の制御基板に送る復元処理を行うようにしたので、基板交換前の運転情報のデータを、交換後のユニット記憶手段に自動的に復元することができる。
【図面の簡単な説明】
【０００９】
【図１】この発明の実施の形態１における構成を示す図である。
【図２】この発明の実施の形態１におけるフローチャートを示す図である。
【図３】この発明の実施の形態２における構成を示す図である。
【図４】この発明の実施の形態２におけるフローチャートを示す図である。
【図５】この発明の実施の形態３における構成を示す図である。
【図６】この発明の実施の形態４における構成を示す図である。
【図７】この発明の実施の形態５における構成を示す図である。
【発明を実施するための形態】
【００１０】
実施の形態１．
この発明の実施の形態１は、例えば故障等によりユニットの制御基板を交換した場合に、交換前の制御基板に記憶していた圧縮機運転積算時間、発停回数等の運転情報のデータを、交換後の制御基板に復元させるようにしたものである。
【００１１】
図１はこの発明の実施の形態１における空気調和装置の構成を示す図である。図１において、室外ユニット２００、室内ユニット３００、集中コントローラ１００およびリモコン（リモートコントローラ）４００が信号の伝送媒体となる伝送線５００を介して通信（データの送受）可能に接続されている。伝送線５００と接続した装置はそれぞれ通信において送信先を特定等するためのアドレスを有している。
【００１２】
本実施の形態の集中コントローラ１００は、集中管理制御基板１１０を備える。そして、集中管理制御基板１１０は、集中管理制御装置１１１、集中管理記憶装置１１２及び集中管理通信回路１１３を有している。集中管理通信回路１１３は伝送線５００を介して室外ユニット２００、室外ユニット２００を介して室内ユニット３００等と通信を行うための回路である。また、集中管理記憶装置１１２は集中管理制御装置１１１が処理等を行うためのデータを記憶する装置である。特に本実施の形態では、圧縮機運転積算時間、発停回数等のような、各ユニットが備える空調関係の機器の駆動等に関する運転情報をデータとして記憶する。このとき、各室外ユニット２００、室内ユニット３００が有する固有のアドレスに関するデータと共に記憶する。マイクロコンピュータ（マイコン）等を有する集中管理制御装置１１１は、集中管理通信回路１１３、集中管理記憶装置１１２からのデータを処理する。ここで、集中管理制御装置１１１は基板交換判断手段１１４を有し、例えば室外ユニット２００の室外制御基板２１０、室内ユニット３００の室内制御基板３１０が交換されたかどうかを判断する機能を有しているものとする。
【００１３】
本実施の形態の室外ユニット２００は、室外制御基板２１０、吸入した冷媒を圧縮して吐出する圧縮機２４０及び圧縮機２４０を駆動するインバータ駆動装置２３０を有している。また、室外制御基板２１０は、室外制御装置２１１、室外記憶装置２１２及び室外通信回路２１３を有している。ここで、図１を含め、以下の図面、説明において、交換前後の機器等に係る装置、手段を区別する場合、交換前の機器等については添字Ａを付し、交換後の機器等については添字Ｂを付して説明する。室外通信回路２１３は、例えば伝送線５００で接続された、同一冷媒系統内の室内ユニット３００、集中コントローラ１００、リモコン４００の間で通信するための回路である。室外記憶装置２１２は室外制御装置２１１が処理を行うために必要となるデータを記憶する。特に本実施の形態では、上述したように圧縮機運転積算時間、発停回数の運転情報をデータとして記憶する。また、例えば室外用熱交換器（図示せず）において冷媒と空気との熱交換を促すためのファンの駆動積算時間等、室外ユニット２００が有する各種センサ（検知手段）の検知に係る温度、圧力等を室外ユニット２００の運転情報として記憶してもよい。マイコン等を有する室外制御装置２１１は、例えば室外通信回路２１３、室外記憶装置２１２からのデータを処理する。また、例えばインバータ駆動装置２３０の駆動を制御して圧縮機２４０の回転数等を制御する。
【００１４】
室内ユニット３００は室内制御基板３１０及び室内用熱交換器（図示せず）において冷媒と熱交換した空気を、空調対象空間となる室内等に送るためのファン３２０を有している。また、室内制御基板３１０は、室内制御装置３１１、室内記憶装置３１２及び室内通信回路３１３を有している。室内通信回路３１３は、同一冷媒系統内の室外ユニット２００、集中コントローラ１００、リモコン４００の間で通信するための回路である。室内記憶装置３１２は室内制御装置３１１が処理を行うために必要となるデータを記憶する。特に本実施の形態では、ファン駆動積算時間、室内ユニット３００が有する各種センサの検知に係る温度、圧力等を運転情報のデータとして記憶する。マイコン等の室内制御装置３１１は、室内通信回路３１３、室内記憶装置３１２からのデータを処理する。また、例えばファン３２０を駆動するためのファン駆動回路３１４を有し、ファン３２０の回転数等を制御する。
【００１５】
図２は実施の形態１に係る運転情報のデータ復元に係る空気調和装置における処理のフローチャートを示す図である。図１のような構成の空気調和装置における運転情報のデータの自動復元に係る動作について図２のフローチャートにより説明する。
【００１６】
例えば通常運転時においては、室外ユニット２００が有する室外制御基板２１０の室外通信回路２１３により、集中コントローラ１００に自己のアドレス情報のデータと圧縮機運転積算時間、圧縮機発停回数などの運転情報のデータを含む信号を、伝送線５００を介して例えば１時間毎に定期送信する（ステップＳ５０１）。送られた信号を、集中コントローラ１００の集中管理制御基板１１０が有する集中管理通信回路１１３が受信する。
【００１７】
そして、集中コントローラ１００の集中管理制御装置１１１において、運転情報のデータが‘全データＦＦ’であるかどうかを基板交換判断手段１１４が判断する（ステップＳ５０２）。ここで、‘全データＦＦ’とは、運転情報に係る全てのデータが、初期値を表す‘ＦＦ’であることをいうものとする。このため、一部の運転情報のデータにおいて初期値を表す‘ＦＦ’でない場合は‘全データＦＦ’ではない。‘全データＦＦ’でないと判断すると、室外制御基板２１０が交換されていないものとしてアドレス毎に分けた運転情報のデータを集中管理記憶装置１１２に記憶させる（ステップＳ５０３）。このとき、前回の受信に係る運転情報のデータに上書きする。
【００１８】
一方、室外ユニット２００の室外制御基板２１０Ａが故障等によって、室外制御基板２１０Ｂに交換されたような場合について説明する。ここでは、室外ユニット２００の室外制御基板２１０について説明するが、室内ユニット３００の室内制御基板３１０についても同様である。
【００１９】
電源が投入された後、交換された室外制御基板２１０Ｂの室外通信回路２１３Ｂにより、集中コントローラ１００に自己のアドレス情報と運転情報が全て初期値であることを表す‘全データＦＦ’を含む信号を伝送線５００を介して送信する。送られた信号を、集中コントローラ１００の集中管理制御基板１１０が有する集中管理通信回路１１３が受信する（ステップＳ５０１）。
【００２０】
ステップＳ５０２において、基板交換判断手段１１４は、‘全データＦＦ’であると判断すると、室外制御基板２１０Ｂからの信号に含まれる‘全データＦＦ’データを集中管理記憶装置１１２に上書きさせないようにする。
【００２１】
そして、室外ユニット２００の室外制御基板２１０Ａが、室外制御基板２１０Ｂに交換されたと判断した場合には、集中コントローラ１００は、集中管理通信回路１１３を介して、‘全データＦＦ’に係る信号を送信した室外制御基板２１０Ｂと同じアドレスで、室外制御基板２１０Ａから前回受信して集中管理記憶装置１１２に記憶していた運転情報のデータを含む信号を、伝送線５００を介して室外ユニット２００の室外制御基板２１０Ｂに送信する（ステップＳ５０４）。
【００２２】
送られた運転情報のデータを含む信号を、室外ユニット２００の室外制御基板２１０Ｂが有する室外通信回路２１３Ｂが受信する。そして、室外制御基板２１０Ｂの室外制御装置２１１Ｂは、集中コントローラ１００からの信号に含まれる運転情報のデータを室外記憶装置２１２Ｂに記憶させる（ステップＳ５０５）。
【００２３】
本実施の形態の空気調和装置において、以上のようなデータ復元に係る処理を行うことで、例えば室外ユニット２００において、室外制御基板２１０Ａが室外制御基板２１０Ｂに交換された場合に、室外制御基板２１０Ａが記憶していた運転情報のデータを室外制御基板２１０Ｂに自動的に復元して記憶させることができる。このため、室外ユニット２００の室外制御基板２１０Ａを交換した場合において、サービスマン（作業者）等が、圧縮機の運転積算時間、発停回数等の運転情報を正確に把握することができる。また、定期送信の間隔を１時間毎とすることにより、伝送線５００における通信トラフィックを抑制しつつ、運転情報に係る補償を行うことができる。
【００２４】
ここで、本実施の形態では、交換される等により、例えば室外制御基板２１０が有する室外記憶装置２１２に記憶された運転情報の全てのデータが初期状態であることを‘全データＦＦ’で示すようにした。しかしながら、集中コントローラ１００における集中管理制御装置１１１が判断できるものであればこれに限るものではない。また、圧縮機等の部品交換周期、運転時間の兼ね合い等を考慮して、本実施の形態では定期送信の間隔を例えば１時間としているが、集中コントローラ１００が定期的に運転情報を受信できるのであれば１時間に限らず任意の時間に設定することができる。
【００２５】
さらに室外ユニット２００の室外制御基板２１０が交換された場合について説明したが、室内ユニット３００の室内制御基板３１０が交換された場合においても、同様の処理を行うようにしてもよい。また、同一の装置内であれば、室外ユニット２００および室内ユニット３００における複数の室外制御基板２１０、室内制御基板３１０が共に交換された場合においても、基板交換判断手段１１４は、アドレス毎に基板交換の判断を行っているため、運転情報を復元することができる。
【００２６】
以上のように、実施の形態１の空気調和装置によれば、室外ユニット２００、室内ユニット３００側から集中コントローラ１００側に定期的に運転情報のデータを含む信号をアドレスと共に送り、集中管理記憶装置１１２に記憶しておき、基板交換判断手段１１４が、室外制御基板２１０等が交換されたものと判断すると、集中管理記憶装置１１２に記憶された交換前の運転情報のデータを集中管理通信回路１１３を介して交換後の室外制御基板２１０Ｂ等に送るようにしたので、基板交換前の運転情報のデータを自動的に復元することができる。
【００２７】
実施の形態２．
例えば、室外ユニット２００の室外制御基板２１０と圧縮機２４０とを共に交換する場合がある。このような場合には、圧縮機運転積算時間等、圧縮機２４０に係る運転情報のデータはリセットし、その他の運転情報のデータについては継続できるようにしたい。
【００２８】
そこで、実施の形態２では、例えば室外ユニット２００の室外制御基板２１０と圧縮機２４０とが共に交換されたと判断した場合に、圧縮機２４０に係る運転情報のデータのみをリセットした初期データとする。そして、圧縮機２４０以外に係る運転情報のデータについては、交換前の制御基板の運転情報のデータに復元するようにしたものである。
【００２９】
図３はこの発明の実施の形態２における空気調和装置の構成を示す図である。図３において、図１と同じ符号を付している機器、手段等については、実施の形態１において説明したことと同様の動作を行う。図３に示すように、本実施の形態の空気調和装置では、室外ユニット２００が有する圧縮機２４０には、個々の圧縮機２４０を特定するためのＩＤ情報２４１を備えている。ＩＤ情報２４１は、バーコード、ＱＲコード（株式会社デンソーウェーブの登録商標）で表される、ＩＣチップが有する等の情報（データ）である。
【００３０】
また、本実施の形態の室外制御基板２１０は、バーコード、ＱＲコード（株式会社デンソーウェーブの登録商標）、ＩＣチップ等からＩＤ情報２４１を読み取って認識するためのＩＤ情報認識手段２１４を有している。そして、集中コントローラ１００の集中管理制御装置１１１は、空気調和装置に搭載した部品（圧縮機２４０、ファン３２０等の機器を含む）が交換されたことを判断するための部品交換判断手段１１５を有している。
【００３１】
図４は実施の形態２に係るデータ復元に係るフローチャートを示す図である。例えば通常運転時においては、室外ユニット２００が有する室外制御基板２１０の室外通信回路２１３から、自己のアドレス情報と前述した運転情報のデータとに加え、ＩＤ情報２４１に係るデータを含む信号を、伝送線５００を介して、例えば１時間毎に定期送信する（ステップＳ５１１）。ＩＤ情報２４１に係るデータに関しては、ＩＤ情報認識手段２１４で認識する。送られた信号を、集中コントローラ１００の集中管理制御基板１１０が有する集中管理通信回路１１３が受信する。
【００３２】
そして、集中コントローラ１００の集中管理制御装置１１１において、ＩＤ情報２４１に係るデータに基づいて圧縮機２４０が交換されたかどうかを部品交換判断手段１１５が判断する（ステップＳ５１２）。例えば圧縮機２４０Ａが圧縮機２４０Ｂに交換されていないと判断すると、さらに運転情報のデータが‘全データＦＦ’であるかどうかを基板交換判断手段１１４が判断する（ステップＳ５１３）。
【００３３】
‘全データＦＦ’でないと判断すると、室外制御基板２１０Ａが室外制御基板２１０Ｂに交換されていないものとしてアドレス毎に分けた運転情報のデータを、例えば前回の受信に係る運転情報のデータに上書きして集中管理記憶装置１１２に記憶させる（ステップＳ５１４）。また、‘全データＦＦ’であると判断すると、室外制御基板２１０Ａを室外制御基板２１０Ｂに交換しただけであるため、実施の形態１で説明したように、室外制御基板２１０Ａから前回受信して集中管理記憶装置１１２に記憶していた運転情報のデータを含む信号を、伝送線５００を介して室外ユニット２００の室外制御基板２１０Ｂに送信する（ステップＳ５１５）。
【００３４】
一方、ステップＳ５１２において、圧縮機２４０Ａが、例えば新たな圧縮機２４０Ｂに交換されたものと判断すると、さらに運転情報のデータが‘全データＦＦ’であるかどうかを基板交換判断手段１１４が判断する（ステップＳ５１６）。‘全データＦＦ’であると判断すると、圧縮機２４０に係る運転情報のデータはリセット値を表すデータ‘００’とし、その他の運転情報のデータは集中管理記憶装置１１２に記憶していたデータとする。そして、これらのデータを含む信号を、伝送線５００を介して室外ユニット２００の室外制御基板２１０Ｂに送信する（ステップＳ５１７）。
【００３５】
‘全データＦＦ’でないと判断すると、リセット値を表すデータ‘００’とした圧縮機に係る運転情報のデータを含む信号を、伝送線５００を介して室外ユニット２００の室外制御基板２１０Ａに送信する（ステップＳ５１８）。
【００３６】
送られた運転情報のデータを含む信号を、室外ユニット２００の室外制御基板２１０が有する室外通信回路２１３が受信する。そして、室外制御基板２１０が有する室外制御装置２１１は、集中コントローラ１００からの信号に含まれる運転情報のデータを室外記憶装置２１２に記憶させる（ステップＳ５１９）。
【００３７】
本実施の形態の空気調和装置において、以上のようなデータ復元に係る処理を行うことで、例えば室外ユニット２００において、圧縮機２４０Ａが圧縮機２４０Ｂに交換され、室外制御基板２１０Ａが室外制御基板２１０Ｂに交換された場合に、圧縮機に係る運転情報のデータにはリセット値を表すデータとし、その他の運転情報のデータは交換前の状態に自動的に復元することができる。このため、サービスマン（作業者）等が、リモコン操作等で圧縮機に係る運転情報のデータについてリセットをする必要がなくなる。
【００３８】
上記では、室外ユニット２００の室外制御基板２１０と圧縮機２４０が交換される場合について記載したが、実施の形態１で記載の通り、室内ユニット３００の室内制御基板３１０が交換された場合においても同様の効果を得ることができる。このため、例えば空気調和装置において、圧縮機２４０だけでなく他の機器が交換された場合でも、同様の処理を行うことで、交換に係る部品に関して運転情報のデータのリセットを自動的に行うことができる。
【００３９】
実施の形態３．
図５はこの発明の実施の形態３における空気調和装置の構成を示す図である。図５に示すように、本実施の形態の空気調和装置は、上述した実施の形態２の装置構成において、集中コントローラ１００に外付けの外部記憶装置１５０を接続し、この外部記憶装置１５０に集中コントローラ１００の集中管理記憶装置１１２と同じ運転情報のデータ等を記憶させるようにしたものである。このため、本実施の形態の集中コントローラ１００は、外部記憶装置１５０と接続してデータのやりとりを行うための外部接続手段１２０を有している。
【００４０】
例えば空気調和装置において、集中コントローラ１００を含め、室外ユニット２００の室外制御基板２１０、室内ユニット３００の室内制御基板３１０を交換するような場合も考えられる。このとき、集中管理記憶装置１１２も初期状態となり、運転情報データを有していない場合がある。
【００４１】
そこで、本実施の形態における空気調和装置では、集中コントローラ１００に外部接続手段１２０を有し、外部記憶装置１５０に運転情報のデータを記憶させることができるようにする。また、交換後においては、集中コントローラ１００が、外部記憶装置１５０が記憶した運転情報のデータを集中管理記憶装置１１２に復元できるようにする。集中コントローラ１００による室外ユニット２００、室内ユニット３００の復元については、例えば実施の形態２で説明したことと同様である。
【００４２】
以上のように、実施の形態３の空気調和装置によれば、集中コントローラ１００が外部接続手段１２０を有し、外部記憶装置１５０を接続することができるので、例えば集中コントローラ１００を含む空気調和装置のシステム全体が故障等をしても、修復後の空気調和装置に運転情報を復元することができる。ここでは、実施の形態２の装置構成に対して外部記憶装置１５０を適用する構成としたが、例えば実施の形態１のような装置構成に対しても適用することができる。
【００４３】
実施の形態４．
図６はこの発明の実施の形態４における空気調和装置の構成を示す図である。実施の形態４の装置においては、室外制御基板２１０等、室外ユニット２００、室内ユニット３００に搭載している機器、手段等の部品が交換されたことを表示するための表示機１３０を集中コントローラ１００に備えている。そして、集中コントローラ１００の集中管理制御装置１１１は、部品が交換されたことを判断する機能をもつ部品交換判断手段１１５を有している。
【００４４】
例えば集中コントローラ１００の集中管理制御装置１１１は、基板交換判断手段１１４が室外ユニット２００の室外制御基板２１０や室内ユニット３００の室内制御基板３１０が交換されたと判断した場合、交換に係る制御基板のアドレスを表示機１３０に表示させる。また、圧縮機２４０、ファン３２０などの空気調和装置が有する機器等の部品について、部品交換判断手段１１５が部品交換されたと判断した場合には、交換された部品のＩＤ情報と部品交換された室外ユニット２００等の制御基板のアドレスを表示機１３０に表示させる。
【００４５】
以上のように、実施の形態４の空気調和装置によれば、集中コントローラ１００の表示機１３０に、制御基板、部品の交換情報を表示させるようにしたので、上述した効果に加え、制御基板、部品の交換に係る情報を１箇所に集約して確認することができる。
【００４６】
実施の形態５．
図７はこの発明の実施の形態５における空気調和装置の構成を示す図である。図７に示すように、本実施の形態の空気調和装置におけるリモコン４００は、実施の形態３における集中コントローラ１００と同様の手段等で構成し、運転情報のデータの復元等において同様の処理を行うことができる。リモコン４００は、基板交換判断手段４１４及び部品交換判断手段４１５を有するリモコン制御装置４１１、リモコン記憶装置４１２及びリモコン通信回路４１３を有するリモコン制御基板４１０、表示機４３０及び外部接続手段４２０を備える。また、外部接続手段４２０と接続する外部記憶装置４５０を有している。
【００４７】
以上のように、実施の形態５の空気調和装置によれば、リモコン４００にも運転情報のデータを記憶装置４１２に記憶させるようにしたので、例えば集中コントローラ１００が伝送線５００に接続されていない構成の空気調和装置においても、実施の形態１〜４で示したような手順等を制御装置４１１が行うことにより、運転情報のデータを自動的に復元することができる。
【符号の説明】
【００４８】
１００  集中コントローラ、１１０  集中管理制御基板、１１１  集中管理制御装置、１１２  集中管理記憶装置、１１３  集中管理通信回路、１１４  基板交換判断手段、１１５  部品交換判断手段、１２０  外部接続手段、１３０  表示機、１５０  外部記憶装置、２００  室外ユニット、２１０，２１０Ａ，２１０Ｂ  室外制御基板、２１１，２１１Ａ，２１１Ｂ  室外制御装置、２１２，２１２Ａ，２１２Ｂ  室外記憶装置、２１３，２１３Ａ，２１３Ｂ  室外通信回路、２１４，２１４Ａ，２１４Ｂ  ＩＤ情報認識手段、２３０  インバータ駆動装置、２４０，２４０Ａ，２４０Ｂ  圧縮機、２４１，２４１Ａ，２４１Ｂ  ＩＤ情報、３００  室内ユニット、３１０  室内制御基板、３１１  室内制御装置、３１２  室内記憶装置、３１３  室内通信回路、３１４  ファン駆動回路、３２０  ファン、４００  リモコン、４１０  リモコン制御基板、４１１  リモコン制御装置、４１２  リモコン記憶装置、４１３  リモコン通信回路、４１４  基板交換判断手段、４１５  部品交換判断手段、４２０  外部接続手段、４３０  表示機、４５０  外部記憶装置、５００  伝送線。
【図１】
0005725966.tif 000002
【図２】
0005725966.tif 000003
【図３】
0005725966.tif 000004
【図４】
0005725966.tif 000005
【図５】
0005725966.tif 000006
【図６】
0005725966.tif 000007
【図７】
0005725966.tif 000008